(57)【要約】      （修正有）【課題】絨毯の編目に入り込んだ毛やソファーの隙間に入り込んだ毛を除去し、犬や猫の身体に対して使用したときには、従来に比べて十分なマッサージ効果が得られる犬猫用ブラシを提供する。【解決手段】電気掃除機のホース先端部に接続部８を接続して、犬や猫の毛が付着あるいは編目内に入り込んだ絨毯やソファーあるいは床面などに対して２種類のゴム製突起部４及び５を摺動させる。突起部４及び５は、従来の円筒型ブラシに比べて先端がある程度の大なる形状を有しているため、比較的大なる圧力で絨毯の編目内やソファーの隙間内などに入り込んで毛を吸引させることができる。また、先端が丸みを帯びた突起部４及び５の先端のみが摺動するので摺動面が小さく、よって絨毯やソファー等の対象物との間の摩擦力が小さいので動かし易く、しかも毛取り能力が大きい。【選択図】図１
0003109573.tif 000002
【実用新案登録請求の範囲】
【請求項１】
電気掃除機の吸引口に一端が接続される貫通孔が、中央部の上面から底面にかけて穿設された中空筐体と、
前記中空筐体の底面に規則的に複数個ずつ配置固定されて、使用対象上を先端が摺動する２種類の突起部とからなり、
前記２種類の突起部は、先端が他端に比べて尖った所謂砲弾形状で弾力性のある第１の突起部と、第１の曲率半径の第１の球体部の先端に該第１の曲率半径よりも小なる第２の曲率半径の第２の球体部が連接された形状で弾力性のある第２の突起部とからなる構造の犬、猫用ブラシ。
【請求項２】
電気掃除機の吸引口に一端が接続される貫通孔が、中央部の上面から底面にかけて穿設された中空筐体と、
前記中空筐体の底面に規則的に配置固定されて、使用対象上を先端が摺動する複数個のブラシ部とからなり、
前記複数個のブラシ部の各々は、弾力性のある複数本の線状部材の一端が固定部によりまとめて固定されており、前記固定部が前記中空筐体の底面に固定される構造の犬、猫用ブラシ。
【請求項３】
電気掃除機の吸引口に一端が接続される貫通孔が、中央部の上面から底面にかけて穿設されると共に、前方の幅が後方の幅に比べて狭い底面を有する中空筐体と、
前記中空筐体の底面に規則的に複数個ずつ配置固定されて、使用対象上を先端が摺動する２種類のブラシ部とからなり、
前記２種類のブラシ部は、先端が球体部分を有する勾玉形状で弾力性のある第１のブラシ部と、弾力性のある複数本の線状部材の一端が前記底面に取り付けられる固定部によりまとめて固定された第２のブラシ部とからなる構造の犬、猫用ブラシ。
【考案の詳細な説明】
【技術分野】
【０００１】
本考案は犬、猫用ブラシに係り、特に絨毯やソファーなどに付いた犬や猫の抜け毛、あるいは犬や猫の体や足に付いた埃、足の指に挟まった小石、体に付着した害虫などを除去するためのブラシに関する。
【背景技術】
【０００２】
従来より、室内で飼う犬や猫の抜け毛が絨毯やソファーに付いた場合、ブラシを使って毛を取ることが行われる。ブラシが手動で小型な場合には、更にブラシに付いた毛を人間が手で集めて捨てることになり毛の後始末が大変である。
【０００３】
また、手動のモップタイプのブラシも知られている。このものは手で握って操作するための棒の先端を大略直方体形状のブラシ部の上面中央部に固定し、ブラシ部の底面にはゴム製のブラシを形成した構造であり、そのゴム製のブラシ部分を床や絨毯の上を摺動させて毛を付着させることで毛を取るものであり、上記の手動のブラシに比べて毛の後始末は簡単であるが、床や絨毯などの対象物との摺動面が平坦面で、かつ、ゴム製のために床や絨毯との間の摩擦が大きく、それらの上をあまり滑らかに動かないため、毛取りのためには力が必要であり、使用者の腰に負担がかかり、しかも毛取り効果も十分とはいえない。
【０００４】
一方、電気掃除機のアタッチメントとして用いる犬、猫用ブラシも従来より知られている（例えば、特許文献１参照）。この従来のブラシは、吸引孔内に設けられた回転する円筒形ブラシと、それにブレーキを付けるか又は回転方向をずらせた複数のブラシとからなり、複数のブラシで可変又は一定の抵抗を与えて、脱毛とブラッシング効果を得るようにした構造である。
【０００５】
【特許文献１】特開平８−１１６号公報（第２頁、図１）
【考案の開示】
【考案が解決しようとする課題】
【０００６】
しかるに、上記の特許文献１記載の従来の犬、猫用ブラシは、回転する円筒型ブラシで毛に適当な摩擦力を与えて脱毛させた毛を電気掃除機の吸引孔内に吸い込むようにしているので、上記の手動のブラシで必要な毛の後始末は不要であるが、回転する円筒型ブラシを対象動物や毛の付着した絨毯やソファーに当てるだけであるため、表面に付着した毛だけを除去できるだけであり、絨毯の編目に入り込んだ毛やソファーの隙間に入り込んだ毛の除去は困難であり、毛取りの効果は十分ではない。また、犬や猫の足の指に挟まった小石や毛の中の害虫をかき出して除去する効果も十分ではない。
【０００７】
本考案は以上の点に鑑みなされたもので、犬や猫の抜け毛の掃除や、犬や猫の脱毛の促進及びブラッシングの効果を十分に高め得る犬、猫用ブラシ、及び毛の飛散を防止し得るカバーを提供することを目的とする。
【０００８】
また、本考案の他の目的は、犬や猫の足の指に挟まった小石や毛の中の害虫をかき出すことが可能な犬、猫用ブラシ及びそれに用いるカバーを提供することにある。
【課題を解決するための手段】
【０００９】
本考案は上記の目的を達成するため、電気掃除機の吸引口に一端が接続される貫通孔が、中央部の上面から底面にかけて穿設された中空筐体と、中空筐体の底面に規則的に複数個ずつ配置固定されて、使用対象上を先端が摺動する２種類の突起部とからなり、２種類の突起部は、先端が他端に比べて尖った所謂砲弾形状で弾力性のある第１の突起部と、第１の曲率半径の第１の球体部の先端に第１の曲率半径よりも小なる第２の曲率半径の第２の球体部が連接された形状で弾力性のある第２の突起部とからなる構造としたものである。
【００１０】
この考案では、弾力性のある２種類の突起部のいずれも先端形状が丸みを帯びており、かつ、互いに異なる所定の形状をしているため、表面に付着した犬や猫の毛は勿論のこと、編目や隙間などに入り込んだ犬や猫の毛をかき出して電気掃除機に吸引させることができる。
【００１１】
また、上記の目的を達成するため、本考案は、上記の２種類の突起部に替えて中空筐体の底面に規則的に配置固定された複数個のブラシ部で構成してもよく、また、中空筐体の底面に規則的に複数個ずつ配置固定された２種類のブラシ部で構成してもよい。ここで、上記の複数個のブラシ部の各々は、弾力性のある複数本の線状部材の一端が固定部によりまとめて固定された構造であり、また、上記の２種類のブラシ部は、先端が球体部分を有する勾玉形状で弾力性のある第１のブラシ部と、弾力性のある複数本の線状部材の一端が底面に取り付けられる固定部によりまとめて固定された第２のブラシ部とからなる構造である。
【考案の効果】
【００１２】
本考案によれば、弾力性があり、かつ、先端が丸みを帯びた２種類の突起部あるいは２種類のブラシ部を、犬や猫の毛が付着している使用対象（例えば、絨毯、ソファー、床など）上を摺動させるようにしたため、表面に付着した犬や猫の毛は勿論のこと、従来困難であった編目や隙間などに入り込んだ犬や猫の毛をかき出して電気掃除機に吸引させることができ、また、犬や猫の体に対して使用したときには、従来に比べて十分なマッサージ効果が得られるブラッシングができ、また体に付着した害虫も除去できる。
【００１３】
また、本考案によれば、単一種類のブラシ部を犬や猫の体や足に摺動することにより、体に付着した害虫をかき出して電気掃除機に吸引させたり、足の指に挟まった小石などの異物をかき出して電気掃除機に吸引させることができる。
【考案を実施するための最良の形態】
【００１４】
次に、本考案の各実施の形態について図面と共に説明する。
【００１５】
（第１の実施の形態）
図１、図２及び図３は本考案になる犬、猫用ブラシの第１の実施の形態の正面図、底面図及び要部の構成図を示す。各図中、同一構成部分には同一符号を付してある。図１及び図２において、第１の実施の形態のブラシ１は、上面中央部に直径が４ｃｍ程度の電気掃除機接続用孔２が設けられ、底面３は縦１１ｃｍ、横２２ｃｍ程度の四角形で、底面３と上面中央部の孔２とが連接するようにされた、断面が大略台形状の中空筐体６からなり、その中空筐体６の底面３には、図１及び図２に示すように、ゴム製で２種類の突起部４及び５が規則的に、かつ、交互に配設されている。また、孔２は中空円筒形状の接続部７を介して電気掃除機（図示せず）のホース先端部（吸入口）に接続される。９は開口部を示す。また、図２に示すように、孔２が底面３にまで貫通しており、また底面３には孔２を中心とする対称位置に孔７ａ、７ｂが穿設されている。
【００１６】
また、上記の２種類の突起部４及び５のうち突起部４は、図３（Ａ）にその拡大図を示すように、外形形状が半楕円曲線形状で、かつ、先端が他端に比べてやや尖った、所謂砲弾形状のゴム製の中空体で、その長さは約１.５ｃｍである。また、突起部５は図３（Ａ）及び（Ｂ）に示すように、第１の曲率半径を有する中空半球面体５ａの先端に、第１の曲率半径よりもかなり小径の第２の曲率半径（約３ｍｍ）の中空半球面体５ｂが連接した構造のゴム製の中空体であり、全体の長さは約１.５ｃｍである。なお、突起部４及び５は中空でなくてもよい。
【００１７】
この実施の形態では、電気掃除機のホース先端部に接続部８を接続して、犬や猫の毛が付着あるいは編目内に入り込んだ絨毯やソファーあるいは床面などに対して２種類のゴム製突起部４及び５を摺動させることにより、毛が従来に比べて十分にかき出されて電気掃除機に吸引される。
【００１８】
すなわち、絨毯やソファーに接触する本実施の形態の突起部４及び５は、従来の円筒型ブラシに比べて先端がある程度の大なる形状を有しているため、比較的大なる圧力で絨毯の編目内やソファーの隙間内などに入り込んで毛を吸引させることができ、また、従来のモップタイプの手動のブラシでは摺動面全体が平坦で接触するのに対し、この実施の形態では先端が丸みを帯びた突起部４及び５の先端のみが摺動するので摺動面が小さく、よって絨毯やソファー等の対象物との間の摩擦力が小さいので動かし易く、しかも毛取り能力が大きいという特長がある。
【００１９】
また、上記の突起部４及び５は比較的大なる圧力で対象物に接触するので、犬や猫の体に直接接触させた時には、犬や猫の脱毛を促進すると共に、毛の中に入り込んだ害虫を吸引することもでき、更にはブラッシングによる皮膚のマッサージ効果を十分に与えることもでき、犬や猫の健康維持に寄与するところ大である。
【００２０】
（第２の実施の形態）
図４、図５及び図６は、本考案になる犬、猫用ブラシの第２の実施の形態の正面図、上面図、電気掃除機との接続状態を示す図である。各図中、同一構成部分には同一符号を付してある。図４及び図５（Ａ）に示すように、この実施の形態のブラシ１１は、中央部に上面から底面まで貫通する、直径４ｃｍ程度の穴（貫通孔）１５を有する、長さ６ｃｍ程度の中空筐体１２から構成されており、その底面にはブラシ部１３が規則的に配置固定されている。
【００２１】
また、図５（Ｂ）に示すように、ブラシ部１３は複数本の可撓性のある線状部材１３ａの各一端を固定部１３ｂでまとめて固定した構造であり、このブラシ部１３が、図５（Ａ）に実線の矩形１６で示す箇所に配置固定される。なお、線状部材１３ａは、プラスチック、合成樹脂、天然素材等、適度な弾性力のある素材で形成される。更に、上記の穴１５には図６に示すように、電気掃除機のジャバラ１４が接続される。これにより、ジャバラ１４を通して穴１５内の毛などが電気掃除機により吸引されることになる。
【００２２】
この実施の形態のブラシ１１によれば、ジャバラ１４を使用者が手で持って、ブラシ部１３を犬や猫の足などに摺動することにより、足の埃や足の指の間の小石などをかき出して電気掃除機により吸引することができる。
【００２３】
（第３の実施の形態）
図７、図８及び図９は、本考案になる犬、猫用ブラシの第３の実施の形態を電気掃除機の一部と共に示す正面図、底面図、要部拡大図である。各図中、同一構成部分には同一符号を付してある。図７及び図８に示すように、本実施の形態のブラシ２１は中央部に上面から底面にかけて径が４ｃｍ程度の穴（貫通孔）２２が貫通され、底面が前部が後部よりも若干幅が狭い長さ約１１ｃｍの長楕円形状で、かつ、全体の外形が大略四角錘台形状で高さが約４ｃｍの中空筐体２３と、中空筐体２３の底面の図８に四角で示す位置に設けられた複数のブラシ部２４と、底面の図８に丸で示す位置に設けられた複数のゴムブラシ部２５とから構成されている。また、底面には図８に示すように穴２６が穿設されている。電気掃除機による吸引力を高めるためである。
【００２４】
また、上記のブラシ部２４は、図９（Ａ）に示すように複数本の可撓性のある線状部材２４ａの各一端を固定部２４ｂでまとめて固定した構造であり、その全体の長さは約２ｃｍである。一方、上記のゴムブラシ部２５は、図９（Ａ）に示すように、先端部２５ａが球体とされた、全体形状が勾玉のような硬めで耐熱性のあるゴム製のブラシで、その全体の長さは約２ｃｍである。
【００２５】
また、このゴムブラシ部２５は、その設置位置が図８における周辺部か中央部付近かにより傾斜が若干異なる。すなわち、図８に示す底面の周辺部に設置されるゴムブラシ部２５は、図９（Ａ）に２５ｃで示すように傾斜角度が比較的大きく、その先端部２５ａの中心と反対側の固定部との間の幅が約５ｍｍである。これに対し、図８に示す底面の中心部付近に設置されるゴムブラシ部２５は、図９（Ａ）に２５ｄで示すように、傾斜角度が小さく略直立しており、その先端部２５ａの中心と反対側の固定部との間の幅が約１ｍｍである。なお、中空筐体２３の底面の前半分に固定されるゴムブラシ部２５は、その先端部２５ａの球体部分が前方に向けて固定され、中空筐体２３の底面の後半分に固定されるゴムブラシ部２５は、その先端部２５ａの球体部分が後方に向けて固定される。
【００２６】
本実施の形態のブラシ２１は中心部の穴２２に図７に示すように電気掃除機のジャバラ２６を接続して、中空筐体２３を使用者が手で持って、ブラシ部２４及びゴムブラシ部２５を犬や猫の体の表面をある程度の圧力を持って滑らせる。これにより、犬や猫に対してブラッシングができ、そのブラッシングによる皮膚のマッサージ効果と、ブラッシングの際に抜けた毛の電気掃除機によるジャバラ２６を通して吸引する毛取り効果を得ることができる。また、ゴムブラシ部２５は図９に示したように、傾斜角度が中心部付近では小さく、周辺部では大きいので、ブラッシングが円滑にできる。
【００２７】
（第４の実施の形態）
図１０（Ａ）、（Ｂ）、（Ｃ）は本考案になる犬、猫用ブラシの第４の実施の形態の斜視図、側面図、底面図を示す。この実施の形態のブラシ３１は使用者が手で握るための適当な長さの棒３２と、その棒３２の先端が中央部に可動自在に設けられた大略直方体形状でプラスチック製のブラシ部３３とよりなり、ブラシ部３３の底面には、断面形状が波型で、平面形状も波型のゴム製の摺動部３４が形成されている。なお、棒３２は丸棒及び角柱棒のいずれでもよい。
【００２８】
これにより、使用時は使用者が棒３２を持って絨毯やソファーの表面に摺動部３４を摺動させることにより、摺動部３４に毛が従来に比べてより多く付着する。従来のモップタイプの手動のブラシは、ブラシ部の底面にゴム製の摺動部が設けられているが、その摺動部は平坦であるため、絨毯やソファーとの摩擦力が大きく、また毛が十分に付着しない。
【００２９】
これに対し、この実施の形態では、図１０（Ｂ）に示すように断面が波型であるので、絨毯やソファーとの摩擦力が小さく、また、図１０（Ｃ）に示すように、平面も波型であるので、毛が良く付着するため、従来に比べて少ない力で使用できると共に、毛取り能力も向上できる。更に、棒３２とブラシ部３３とは可動自在に取り付けられているため、操作性に優れている。
【００３０】
次に、本考案になるブラシに用いるカバーの一実施の形態について説明する。図１１は本考案になるカバーの一実施の形態の外観図を示す。同図中、カバー４１は透明のビニール製で、上部に直径約４ｃｍの穴４２が設けられ、下部には前述したブラシ１、１１、２１の全体の長さよりも長い直径の穴４３が設けられた高さ５ｃｍ程度の袋状のものであり、ブラシ１、１１、２１の全体を収容できるようにされている。これにより、ブラシ１、１１、２１を使用したときの毛の飛散を防止することができる。
【００３１】
なお、以上の実施の形態における寸法の数値は一例であって、本考案の各部の寸法は以上の実施の形態に限定されるものではない。また、突起部４及び５やゴムブラシ部２５は、ある程度の剛性が得られる可撓性部材であれば、ゴム以外の弾性のある合成樹脂その他の材質も使用することは可能である。また、図２の中空筐体６の底面は四角形以外の形状でもよい。
【図面の簡単な説明】
【００３２】
【図１】本考案の犬、猫用ブラシの第１の実施の形態の正面図である。
【図２】本考案の犬、猫用ブラシの第１の実施の形態の底面図である。
【図３】本考案の犬、猫用ブラシの第１の実施の形態の要部の構成図である。
【図４】本考案の犬、猫用ブラシの第２の実施の形態の正面図である。
【図５】本考案の犬、猫用ブラシの第２の実施の形態の上面図である。
【図６】本考案の犬、猫用ブラシの第２の実施の形態の電気掃除機との接続状態を示す図である。
【図７】本考案の犬、猫用ブラシの第３の実施の形態を電気掃除機の一部と共に示す正面図である。
【図８】本考案の犬、猫用ブラシの第３の実施の形態の底面図である。
【図９】本考案の犬、猫用ブラシの第３の実施の形態の要部拡大図である。
【図１０】本考案の犬、猫用ブラシの第４の実施の形態の斜視図、側面図及び底面図である。
【図１１】本考案のブラシに用いるカバーの一実施の形態の外観図である。
【符号の説明】
【００３３】
１、１１、２１、３１  ブラシ
２、１５、２２  貫通孔（穴）
４、５  突起部
６、１２、２３  中空筐体
７ａ、７ｂ、２６  穴
１３、２４、３３  ブラシ部
２５  ゴムブラシ部
３４  摺動部
【図１】
0003109573.tif 000003
【図２】
0003109573.tif 000004
【図３】
0003109573.tif 000005
【図４】
0003109573.tif 000006
【図５】
0003109573.tif 000007
【図６】
0003109573.tif 000008
【図７】
0003109573.tif 000009
【図８】
0003109573.tif 000010
【図９】
0003109573.tif 000011
【図１０】
0003109573.tif 000012
【図１１】
0003109573.tif 000013